(57)【要約】【課題】複数の金種が混在した状態で硬貨が投入された場合においても、効率的かつ迅速に、各金種の包装処理を行うことが可能な硬貨包装装置を提供する。【解決手段】  硬貨包装装置１は、投入口と、第１選別箱１９と、第２選別箱２０とを備え、識別部１０３により識別された包装対象金種の硬貨を、集積部１０５に集積して、包装硬貨を形成する。このとき、包装対象外の金種の硬貨が第１選別箱１９または第２選別箱２０に収納される。硬貨包装装置１は、識別部１０３の識別結果に基づいて、包装対象以外の金種の硬貨が、所定の金種ごとに第１選別箱１９と第２選別箱２０に振り分けられるように、選別部１０４を制御する。【選択図】図２
2018109902.tif 000002
【特許請求の範囲】
【請求項１】
複数の硬貨を投入可能な投入口と、
前記投入口に投入された前記硬貨を識別するための識別部と、
前記識別部により識別された包装対象金種の硬貨を集積する集積部と、
集積された所定枚数の前記硬貨を包装する包装部と、
包装対象以外の金種の硬貨を収納する複数の選別収納部と、
前記識別部を経由した前記硬貨を、前記集積部および前記複数の選別収納部に振り分ける選別部と、
硬貨の包装処理を制御する制御部と、を備え、
前記制御部は、前記識別部の識別結果に基づいて、前記包装対象以外の金種の硬貨が、所定の金種ごとに前記複数の選別収納部に振り分けられるように、前記選別部を制御する、
ことを特徴とする硬貨包装装置。
【請求項２】
前記制御部は、前記各選別収納部に振り分ける金種の設定を受け付ける処理を実行し、受け付けた設定に従って、前記各選別収納部に前記硬貨を振り分ける、
ことを特徴とする請求項１に記載の硬貨包装装置。
【請求項３】
表示部と、
前記表示部に表示された画面に対する入力を行うための入力部と、を備え、
前記制御部は、前記各選別収納部に振り分ける金種の設定を受け付けるための金種設定画面を、前記表示部に表示させて、前記金種の設定を受け付ける、
ことを特徴とする請求項２に記載の硬貨包装装置。
【請求項４】
前記制御部は、前記各選別収納部に収納された硬貨を金種ごとに計数し、一の金種に対する包装処理が完了した後に、計数した各金種の硬貨の枚数を、金種に対応付けて、前記表示部に表示させる、
ことを特徴とする請求項３に記載の硬貨包装装置。
【請求項５】
前記制御部は、一の金種に対する包装処理が完了した後に、次の包装処理を何れの前記選別収納部に収納された硬貨に対して行うかを報知する誘導画面を、前記表示部に表示させる、
ことを特徴とする請求項３または４に記載の硬貨包装装置。
【請求項６】
前記制御部は、前記次の包装処理において包装対象とされる金種を自動で設定する、
ことを特徴とする請求項５に記載の硬貨包装装置。
【請求項７】
前記制御部は、前記誘導画面によって誘導した前記選択処理部に設定された金種のうち、硬貨の数が最も多い金種を、前記次の包装処理において包装対象とされる金種に設定する、
ことを特徴とする請求項６に記載の硬貨包装装置。
【請求項８】
前記制御部は、１つの前記選別収納部に対して複数の金種の設定が可能なように、前記選別収納部に対する金種の設定を受け付ける、
ことを特徴とする請求項２ないし７の何れか一項に記載の硬貨包装装置。
【請求項９】
装置に配置された前記選別収納部の数が２つである、
ことを特徴とする請求項１ないし８の何れか一項に記載の硬貨包装装置。
【請求項１０】
前記制御部は、一方の前記選別収納部に振り分ける金種の設定を受け付ける処理を実行し、受け付けた設定に従って、前記各選別収納部に前記硬貨を振り分ける、
ことを特徴とする請求項９に記載の硬貨包装装置。
【発明の詳細な説明】
【技術分野】
【０００１】
本発明は、同じ種類の硬貨を所定枚数ずつ包装して柱状の包装硬貨を形成する硬貨包装装置に関する。
【背景技術】
【０００２】
同じ種類の硬貨を包装して柱状の包装硬貨を形成する硬貨包装装置が、たとえば、特許文献１に開示されている。
【０００３】
特許文献１に記載の硬貨包装装置では、投入された硬貨のうち、包装対象金種の硬貨が集積手段に集積されて包装され、包装対象以外の金種の硬貨は、異金種硬貨収納部に収納される。
【先行技術文献】
【特許文献】
【０００４】
【特許文献１】特許第２７５６８８１号公報
【発明の概要】
【発明が解決しようとする課題】
【０００５】
上記構成の硬貨包装装置では、複数種類の硬貨が混在した状態で硬貨が投入された場合、異金種硬貨収納部に収納された硬貨を装置に再投入する操作を複数回繰り返すことにより、各金種に対する包装が行われる。しかし、この場合、各回の包装処理において、包装対象の硬貨とともに、包装対象でない硬貨をも流動させなければならないため、包装処理に要する時間が長くなるという問題があった。
【０００６】
かかる課題に鑑み、本発明は、複数の金種が混在した状態で硬貨が投入された場合においても、効率的かつ迅速に、各金種の包装処理を行うことが可能な硬貨包装装置を提供することを目的とする。
【課題を解決するための手段】
【０００７】
本発明の第１の態様は、硬貨包装装置に関する。この態様に係る硬貨包装装置は、複数の硬貨を投入可能な投入口と、前記投入口に投入された前記硬貨を識別するための識別部と、前記識別部により識別された包装対象金種の硬貨を集積する集積部と、集積された所定枚数の前記硬貨を包装する包装部と、包装対象以外の金種の硬貨を収納する複数の選別収納部と、前記識別部を経由した前記硬貨を、前記集積部および前記複数の選別収納部に振り分ける選別部と、硬貨の包装処理を制御する制御部と、を備える。ここで、前記制御部は、前記識別部の識別結果に基づいて、前記包装対象以外の金種の硬貨が、所定の金種ごとに前記複数の選別収納部に振り分けられるように、前記選別部を制御する。
【０００８】
本態様に係る硬貨包装装置によれば、包装対象以外の金種の硬貨が、所定の金種ごとに複数の選別収納部に振り分けられる。このため、次の包装処理時に、何れか１つの選別収納部に収納された硬貨を投入することにより、硬貨の流動枚数を削減しながら、その選別収納部に設定された金種の１つについて、硬貨の包装を行うことができる。これにより、効率的かつ迅速に、各金種の包装処理を行うことができる。
【０００９】
本態様に係る硬貨包装装置において、前記制御部は、前記各選別収納部に振り分ける金種の設定を受け付ける処理を実行し、受け付けた設定に従って、前記各選別収納部に前記硬貨を振り分けるよう構成され得る。
【００１０】
この構成によれば、ユーザは、所望の振り分け方で、各選別収納部に金種を設定できる。これにより、ユーザは、たとえば、投入される硬貨について、金種ごとの硬貨の枚数の大小を予め把握しているような場合に、より効率的に包装処理を進め得るような振り分け方で、各選別収納部に金種を設定することができる。
【００１１】
ここで、硬貨包装装置が、表示部と、前記表示部に表示された画面に対する入力を行うための入力部と、を備える場合、前記制御部は、前記各選別収納部に振り分ける金種の設定を受け付けるための金種設定画面を、前記表示部に表示させて、前記金種の設定を受け付けるよう構成され得る。
【００１２】
この構成によれば、ユーザは、金種設定画面を参照しながら、各選別収納部に振り分ける金種の設定を円滑に行うことができる。
【００１３】
また、この構成において、前記制御部は、前記各選別収納部に収納された硬貨を金種ごとに計数し、一の金種に対する包装処理が完了した後に、計数した各金種の硬貨の枚数を、金種に対応付けて、前記表示部に表示させるよう構成され得る。
【００１４】
この構成によれば、ユーザは、一の金種に対する包装処理が完了した後に、各選別収納部に収納された硬貨の枚数を金種ごとに把握できるため、次の包装処理時にどの金種を包装対象金種に設定すれば包装処理を効率的に進め得るかを容易に判断できる。よって、より効率的かつ迅速に、各金種に対する硬貨の包装を進めることができる。
【００１５】
さらに、この構成において、前記制御部は、一の金種に対する包装処理が完了した後に、次の包装処理を何れの前記選別収納部に収納された硬貨に対して行うかを報知する誘導画面を、前記表示部に表示させるよう構成され得る。
【００１６】
この構成によれば、ユーザは、迷うことなく円滑かつ適正に、次の包装処理の対象とされるべき選別収納部を選択できる。よって、より円滑に、包装処理を進めることができる。
【００１７】
この構成において、前記制御部は、前記次の包装処理において包装対象とされる金種を自動で設定するよう構成され得る。
【００１８】
この構成によれば、次の包装処理において、ユーザが包装対象金種を設定する手間が省かれる。よって、より円滑かつ簡便に、次の包装処理を進めることができる。
【００１９】
この場合、前記制御部は、前記誘導画面によって誘導した前記選択処理部に設定された金種のうち、硬貨の数が最も多い金種を、前記次の包装処理において包装対象とされる金種に設定するよう構成され得る。
【００２０】
この構成によれば、次の包装処理において包装対象外とされる金種の硬貨の数がより少なくなるため、その後の処理における硬貨の流動枚数を低減できる。よって、より効率的に、包装処理を進めることができる。
【００２１】
本態様に係る硬貨包装装置において、前記制御部は、１つの前記選別収納部に対して複数の金種の設定が可能なように、前記選別収納部に対する金種の設定を受け付けるよう構成され得る。
【００２２】
この構成によれば、以下の実施形態で示すように、効率的に、各金種に対する包装処理を行うことができる。
【００２３】
本態様に係る硬貨包装装置は、装置に配置された前記選別収納部の数が２つであるよう構成され得る。
【００２４】
この構成によれば、装置の大型化を抑制しつつ、硬貨の包装を効率的かつ迅速に行うことができる。
【００２５】
この場合、前記制御部は、一方の前記選別収納部に振り分ける金種の設定を受け付ける処理を実行し、受け付けた設定に従って、前記各選別収納部に前記硬貨を振り分けるよう構成され得る。これにより、一方の選別収納部に、ユーザが設定した金種が割り当てられ、他方の選別収納部には、残りの金種が割り当てられる。
【発明の効果】
【００２６】
以上のとおり、本発明によれば、複数の金種が混在した状態で硬貨が投入された場合においても、効率的かつ迅速に、各金種の包装処理を行うことが可能な硬貨包装装置を提供することができる。
【００２７】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００２８】
【図１】図１は、実施形態に係る、上蓋が開放されホッパーが外部に露出した状態の硬貨包装装置の斜視図である。
【図２】図２は、実施形態に係る、硬貨包装装置の構成を示すブロック図である。
【図３】図３（ａ）、（ｂ）は、それぞれ、実施形態に係る、選別部の構成および動作を模式的に示す図である。
【図４】図４（ａ）は、実施形態に係る、硬貨包装装置の制御系の構成を示すブロック図である。図４（ｂ）は、実施形態に係る、硬貨の包装制御を示すフローチャートである。
【図５】図５（ａ）、（ｂ）は、それぞれ、実施形態に係る、金種設定画面を示す図である。
【図６】図６は、実施形態に係る、選別処理を示すフローチャートである。
【図７】図７（ａ）、（ｂ）は、それぞれ、実施形態に係る、終了画面を示す図である。
【図８】図８は、実施形態に係る、２回目以降の硬貨の包装処理においてユーザが行う操作の流れを示すフローチャートである。
【図９】図９（ａ）は、比較例に係る、６つ金種が混在した硬貨群を包装処理に供した場合の、各回における各金種の硬貨の流動状態を纏めた表である。図９（ｂ）は、図９（ａ）の表について、流動回数と流動枚数を金種ごとに集計した表である。
【図１０】図１０（ａ）は、実施形態（選別対象の金種が１種類）に係る、６つ金種が混在した硬貨群を包装処理に供した場合の、各回における各金種の硬貨の流動状態を纏めた表である。図１０（ｂ）は、図１０（ａ）の表について、流動回数と流動枚数を金種ごとに集計した表である。
【図１１】図１１（ａ）は、実施形態（選別対象の金種が２種類）に係る、６つ金種が混在した硬貨群を包装処理に供した場合の、各回における各金種の硬貨の流動状態を纏めた表である。図１１（ｂ）は、図１１（ａ）の表について、流動回数と流動枚数を金種ごとに集計した表である。
【図１２】図１２は、変更例１に係る、硬貨の包装制御を示すフローチャートである。
【図１３】図１３は、変更例１に係る、誘導画面を示す図である。
【図１４】図１４は、変更例２に係る、硬貨の包装制御を示すフローチャートである。
【図１５】図１４は、変更例２に係る、２回目以降の包装処理時に表示される金種設定画面を示す図である。
【発明を実施するための形態】
【００２９】
以下、本発明の実施形態について、図面を参照して説明する。
【００３０】
図１は、上蓋１４が開放されホッパー１３が外部に露出した状態の硬貨包装装置１の斜視図である。
【００３１】
硬貨包装装置１は、装置本体１１を備える。装置本体１１は、その上部に樹脂製の上部材１２を有する。上部材１２の上面１２ａには、バラの硬貨が投入されるホッパー１３が設けられる。ホッパー１３上部の投入口１３ａは、前後に折り畳み可能な上蓋１４によって開閉される。
【００３２】
上部材１２の上面１２ａには、ホッパー１３の前方にタッチパネル１５が設けられる。タッチパネル１５は、ディスプレイと、ディスプレイに重ねられたタッチセンサとからなっている。タッチパネル１５に代えて、ディスプレイとキーとが個別に配置された構成を用いてもよい。
【００３３】
装置本体１１の前側には、第１収納箱１６と、第２収納箱１７と、端数収納箱１８と、第１選別箱１９と、第２選別箱２０と、リジェクト箱２１と、が設けられている。第１収納箱１６は、装置本体１１に対して上下方向に着脱可能であり、第２収納箱１７、端数収納箱１８、第１選別箱１９、第２選別箱２０およびリジェクト箱２１は、装置本体１１に対して前後方向に着脱可能である。
【００３４】
第１収納箱１６および第２収納箱１７には、それぞれ、装置本体１１内で形成された所定の金種の包装硬貨が収納される。包装硬貨は、同一金種の硬貨が所定枚数（たとえば５０枚）ずつ柱状に包装されたものである。柱状に積み重ねられた硬貨を包装フィルムや包装紙等の包装材で包装することにより、包装硬貨が形成される。形成された包装硬貨は、第１収納箱１６および第２収納箱１７の何れかに収納される。
【００３５】
包装硬貨の形成時には、たとえば、袋に詰められた多数の硬貨が、投入口１３ａからホッパー１３に投入される。投入される硬貨には、複数の金種が混在する場合がある。この場合、１つの包装対象金種について包装硬貨が形成され、その他の金種の硬貨は、第１選別箱１９または第２選別箱２０に収納される。第１選別箱１９または第２選別箱２０は、それぞれ、包装対象以外の金種の硬貨を収納するための選別収納部である。
【００３６】
また、包装対象金種の硬貨が、包装硬貨を形成するための枚数（たとえば５０枚）の整数倍に満たない場合、その端数の硬貨が、端数収納箱１８に収納される。変形等が生じている損貨は、リジェクト箱２１に収納される。
【００３７】
次の金種について包装硬貨を形成する場合、ユーザは、第１選別箱１９または第２選別箱２０を抜き取り、抜き取った選別箱内の硬貨を、再度、投入口１３ａからホッパー１３に投入する。この操作を繰り返すことにより、最初に投入した硬貨の金種のうち、包装硬貨を形成可能な全ての金種について、包装硬貨が形成される。
【００３８】
本実施形態では、包装処理の際に、第１選別箱１９および第２選別箱２０に、それぞれ、所定の金種の硬貨が振り分けられて収納される。第２選別箱２０には、ユーザが設定した金種の硬貨が振り分けられる。第１選別箱１９には、その他の金種の硬貨が振り分けられる。硬貨の選別処理については、追って、図６を参照して説明する。
【００３９】
図２は、硬貨包装装置１の構成を示すブロック図である。図２中の矢印は、硬貨の流れを示している。硬貨は、図示しない搬送部によって搬送される。
【００４０】
供給部１０１は、図１に示したホッパー１３を含み、投入口１３ａから投入された硬貨を受け入れて収容する。操出部１０２は、供給部１０１に収容された硬貨を１枚ずつ繰り出して、搬送部の搬送路に供給する。識別部１０３は、硬貨の形状や物性等をセンサで検出することにより、搬送路を流れる硬貨の金種を識別する。また、識別部１０３は、変形等が生じた硬貨を損貨として識別する。
【００４１】
選別部１０４は、搬送路を流れる硬貨の搬送先を、識別部１０３による識別結果に応じて、集積部１０５、第１選別箱１９、第２選別箱２０およびリジェクト箱２１の何れかに振り分ける。包装対象金種の硬貨は、集積部１０５に振り分けられて集積される。包装対象以外の金種の硬貨は、第１選別箱１９または第２選別箱２０に振り分けられて収納される。金種が識別不能な硬貨や損貨は、リジェクト箱２１に振り分けられて収納される。
【００４２】
集積部１０５は、選別部１０４によって振り分けられた包装対象金種の硬貨を、所定枚数（たとえば５０枚）ずつ柱状に積み重ねる。包装部１０６は、集積部１０５によって所定枚数積み重ねられた硬貨を包装して包装硬貨を形成する。包装硬貨シュート部１０７は、形成された包装硬貨を、金種に応じて、第１収納箱１６および第２収納箱１７の何れかに振り分ける。また、包装硬貨シュート部１０７は、包装対象金種の硬貨が、包装硬貨を形成するための枚数の整数倍に満たない場合に、その端数の硬貨を、全て、包装部１０６から端数収納箱１８に振り分ける。
【００４３】
図３（ａ）、（ｂ）は、それぞれ、選別部１０４の構成および動作を模式的に示す図である。図３（ａ）、（ｂ）は、選別部１０４における搬送路１４１を上方から見た図である。
【００４４】
硬貨Ｃ１は、図示しない搬送ベルトよって上面を押さえられながら、搬送路１４１に沿って搬送される。硬貨Ｃ１は、破線矢印の方向に搬送される。搬送路１４１の幅方向の両側に、一対の壁部１４２が設けられている。硬貨Ｃ１は、２つの壁部１４２の片方に当接しながら搬送される。搬送路１５１の幅は、全ての金種の硬貨の幅よりも大きい。搬送路１４１には、３つの抜き孔１４３ａ、１４３ｂ、１４３ｃが形成されている。抜き孔１４３ａ、１４３ｂ、１４３ｃの幅は、全ての金種の硬貨の幅よりも小さい。抜き孔１４３ａ、１４３ｂ、１４３ｃは、それぞれ、リジェクト箱２１、第２選別箱２０、第１選別箱１９に繋がっている。
【００４５】
抜き孔１４３ａ、１４３ｂ、１４３ｃに対して搬送方向上流側に、硬貨Ｃ１の到来を検出するためのセンサ１４４ａ、１４４ｂ、１４４ｃが配置されている。また、抜き孔１４３ａ、１４３ｂ、１４３ｃの側方に、偏心ローラ１４５ａ、１４５ｂ、１４５ｃが配置されている。回動軸１４６ａ、１４６ｂ、１４６ｃにより偏心ローラ１４５ａ、１４５ｂ、１４５ｃが時計方向に回動すると、偏心ローラ１４５ａ、１４５ｂ、１４５ｃが搬送路１４１内に突出する。
【００４６】
図３（ａ）の搬送タイミングでは、偏心ローラ１４５ａが回動されていない。このため、硬貨Ｃ１は、抜き孔１４３ａ内に落下することなく、抜き孔１４３ａを通過する。
【００４７】
硬貨Ｃ１が第２選別箱２０に振り分けられる場合、図３（ｂ）の破線の位置に硬貨Ｃ１が到達したことをセンサ１４４ｂが検出したことに応じて、偏心ローラ１４５ｂが時計方向に回動される。これより、硬貨Ｃ１は、偏心ローラ１４５ｂの側面に当接して、搬送路１４１の中心寄りに進路が変えられる。その結果、硬貨Ｃ１の縁が抜き孔１４３ｂの範囲に入り込み、重力により硬貨Ｃ１が抜き孔１４３ｂに落下する。こうして、硬貨Ｃ１が第２選別箱２０に振り分けられる。その後、偏心ローラ１４５ｂは元の位置に戻される。
【００４８】
硬貨Ｃ１をリジェクト箱２１に振り分ける場合は、センサ１４４ａが硬貨Ｃ１を検出したことに応じて、偏心ローラ１４５ａが時計方向に回動される。これにより、硬貨Ｃ１が抜き孔１４３ａに落下してリジェクト箱２１へと導かれる。また、硬貨Ｃ１を第１選別箱１９に振り分ける場合、センサ１４４ｃが硬貨Ｃ１を検出したことに応じて、偏心ローラ１４５ｃが時計方向に回動される。これにより、硬貨Ｃ１が抜き孔１４３ｃに落下して第１選別箱１９へと導かれる。硬貨Ｃ１を集積部１０５へと振り分ける場合は、偏心ローラ１４５ａ〜１４５ｃの何れも回動されない。この場合、硬貨Ｃ１は、抜き孔１４３ａ〜１４３ｃを全て通過して、集積部１０５へと導かれる。
【００４９】
図４（ａ）は、硬貨包装装置１の制御系の構成を示すブロック図である。
【００５０】
表示部２０１は、図１に示すタッチパネル１５のディスプレイを含む。音声出力部２０２は、スピーカを含む。入力部２０３は、図１に示すタッチパネル１５のタッチセンサを含む。入力部２０３は、ユーザからの操作入力を受け付ける。駆動部２０４は、図２に示す各部および図示しない搬送部を駆動するための駆動源（モータ等）および駆動機構を含む。
【００５１】
検出部２０５は、図２に示す各部および図示しない搬送部に配置されたセンサや、上蓋１４の開閉、第１収納箱１６、第２収納箱１７、端数収納箱１８、第１選別箱１９、第２選別箱２０およびリジェクト箱２１の着脱を検出するセンサ等を含む。また、検出部２０５は、図２に示す識別部１０３を含み、各硬貨に対する金種の識別結果を制御部２０７に送信する。
【００５２】
記憶部２０６は、ＲＯＭ、ＲＡＭ、ハードディスク等の記憶媒体を含み、各部を制御するプログラムを記憶する。また、記憶部２０６は、各部を制御するためのワーク領域としても利用される。制御部２０７は、ＣＰＵ等の演算処理回路を含み、記憶部２０６に記憶されたプログラムに従って各部を制御する。
【００５３】
図４（ｂ）は、硬貨の包装制御を示すフローチャートである。
【００５４】
ユーザは、図１の投入口１３ａから多数の硬貨を投入した後、タッチパネル１５を操作して、包装開始の指示を入力する。こうして、包装制御が開始すると、制御部２０７は、表示部２０１に金種設定画面を表示させる（Ｓ１１）。これにより、タッチパネル１５に、金種設定画面が表示される。
【００５５】
図５（ａ）、（ｂ）は、それぞれ、金種設定画面３０を示す図である。図５（ａ）は、金種が設定される前の状態を示し、図５（ｂ）は、金種が設定された後の状態を示している。
【００５６】
金種設定画面３０は、包装対象金種を選択するための６つのアイコン３０１〜３０６と、選別対象金種を選択するための６つのアイコン３１１〜３１６と、２つのアイコン３２１、３２２を含んでいる。
【００５７】
アイコン３１１〜３１６は、包装動作時において、包装すべき金種（包装対象金種）を設定するためのアイコンである。アイコン３０１〜３０６には、それぞれ、５００円、１００円、５０円、１０円、５円および１円の６種類の金種が割り当てられている。これらのアイコン３０１〜３０６は、何れか１つのみが選択可能となっている。ユーザは、アイコン３０１〜３０６の何れか１つにタッチすることにより、所望の包装対象金種を設定できる。
【００５８】
アイコン３１１〜３１６は、包装動作時において、第２選別箱２０に振り分けるべき金種（選別対象金種）を設定するためのアイコンである。アイコン３１１〜３１６には、それぞれ、５００円、１００円、５０円、１０円、５円および１円の６種類の金種が割り当てられている。これらのアイコン３０１〜３０６は、複数が選択可能となっている。ユーザは、アイコン３０１〜３０６の何れかにタッチすることにより、所望の選別対象金種を設定できる。
【００５９】
アイコン３２１は、包装動作を開始させるためのアイコンである。アイコン３２２は、画面を１つ前の画面に戻すためのアイコンである。
【００６０】
たとえば、ユーザが、包装対象金種に１００円を設定し、選別対象金種に５０円と１０円を設定した場合、金種設定画面３０は、図５（ｂ）のようになる。アイコン３０１〜３０６およびアイコン３１１〜３１６の何れかがタッチされると、タッチされたアイコンが、その他のアイコンと区別可能に表示される。たとえば、タッチされたアイコンが、その他のアイコンと異なる色で表示される。これにより、ユーザは、選択したアイコンを識別できる。
【００６１】
包装対象金種を変更する場合、ユーザは、変更すべき他の金種のアイコンにタッチする。選別対象金種を変更する場合、ユーザは、既に選択済みのアイコンにタッチして金種の設定を解除した後、変更すべき他の金種のアイコンにタッチする。
【００６２】
こうして包装対象金種と選別対象金種を選択した後、ユーザは、アイコン３２１にタッチする。これにより、ユーザが設定した包装対象金種について包装動作が行われる。包装動作時には、ユーザが設定した選別対象金種の硬貨が、第２選別箱２０に振り分けられる。
【００６３】
なお、ユーザは、選別対象金種を選択せずに包装処理を進めることもできる。この場合、ユーザは、アイコン３１１〜３１６の何れにもタッチせずに、アイコン３２１にタッチする。包装対象金種は、必ず何れか１つを選択する必要がある。アイコン３０１〜３０６の何れかがタッチされなければ、アイコン３２１がタッチ可能とならない。
【００６４】
また、本実施形態では、選別対象金種が複数選択可能となっているが、選別対象金種を１つだけ選択可能に金種設定画面３０を構成してもよい。また、選択可能な選別対象金種の数を２つ以上の所定の数に制限してもよい。たとえば、選択可能な選別対象金種の数を２つに制限し、ユーザが３金種目のアイコンにタッチしても、これを受け付けないように構成してもよい。
【００６５】
図４（ｂ）に戻り、ステップＳ１１で表示された金種設定画面３０において、ユーザが金種を設定した後、アイコン３２１にタッチして、開始の指示を入力すると（Ｓ１２：ＹＥＳ）、制御部２０７は、設定された包装対象金種について包装処理を実行する。すなわち、制御部２０７は、選択された包装対象金種の包装に適するように、図２に示す選別部１０４、集積部１０５、包装部１０６および包装硬貨シュート部１０７の設定を調整する（Ｓ１３）。その後、制御部２０７は、包装対象金種に対する包装処理を実行する（Ｓ１４）。
【００６６】
このとき、制御部２０７は、図２示す構成の選別部１０４を制御して、搬送路１４１を移動する硬貨に対する選別処理を実行する。
【００６７】
図６は、選別処理を示すフローチャートである。
【００６８】
制御部２０７は、識別部１０３を通過した硬貨の金種の識別結果を、識別部１０３から取得する（Ｓ１０１）。制御部２０７は、取得した識別結果がリジェクト対象の硬貨（識別不能な硬貨）を示すものであるか否かを判定し（Ｓ１０２）、リジェクト対象の硬貨を示すものであれば（Ｓ１０２：ＹＥＳ）、この硬貨が選別部１０４に到達したタイミングにおいて、この硬貨がリジェクト箱２１に振り分けられるように、選別部１０４を制御する（Ｓ１０３）。
【００６９】
また、ステップＳ１０２の判定がＮＯである場合、制御部２０７は、識別部１０３から取得した識別結果が包装対象金種を示すものであるか否かを判定する（Ｓ１０４）。ここで、識別結果が包装対象金種を示すものである場合（Ｓ１０４：ＹＥＳ）、制御部２０７は、この硬貨が選別部１０４に到達したタイミングにおいて、この硬貨が集積部１０５に振り分けられるように、選別部１０４を制御する（Ｓ１０５）。
【００７０】
ステップＳ１０４の判定がＮＯである場合、制御部２０７は、識別部１０３から取得した識別結果が選別対象金種を示すものであるか否かを判定する（Ｓ１０６）。ここで、識別結果が選別対象金種を示すものである場合（Ｓ１０６：ＹＥＳ）、制御部２０７は、この硬貨が選別部１０４に到達したタイミングにおいて、この硬貨が第２選別箱２０に振り分けられるように、選別部１０４を制御する（Ｓ１０７）。
【００７１】
ステップＳ１０６の判定がＮＯである場合、制御部２０７は、この硬貨が選別部１０４に到達したタイミングにおいて、この硬貨が第１選別箱１９に振り分けられるように、選別部１０４を制御する（Ｓ１０８）。
【００７２】
こうして、識別部１０３を経由した硬貨が、選別部１０４によって、リジェクト箱２１、集積部１０５、第２選別箱２０および第１選別箱１９の何れかに振り分けられる。このような硬貨の振分けが、投入口１３ａに投入された全ての硬貨に対して実行される。
【００７３】
たとえば、包装対象金種が１００円である場合、投入口１３ａに投入された硬貨のうち１００円硬貨のみが、図２の集積部１０５に送られる。１００円以外の金種の硬貨は、第１選別箱１９または第２選別箱２０に送られる。集積部１０５に、所定枚数（たとえば５０枚）の１００円硬貨が集積されると、包装部１０６による包装が行われる。こうして形成された包装硬貨が、包装硬貨シュート部１０７によって、第１収納箱１６または第２収納箱１７に送られる。
【００７４】
このとき、選別対象金種が５０円と１０円である場合、１００円以外の金種で、且つ、リジェクト対象でない硬貨のうち、金種が５０円と１０円の硬貨は第２選別箱２０に送られ、金種が５０円と１０円以外の硬貨は第１選別箱１９に送られる。こうして、第１選別箱１９と第２選別箱２０にそれぞれ硬貨が収納される。
【００７５】
図４（ｂ）に戻り、制御部２０７は、ステップＳ１４における包装処理を、投入口１３ａに投入された全ての硬貨について実行する（Ｓ１５）。包装処理に並行して、制御部２０７は、識別部１０３による識別結果に基づいて、各金種の硬貨の枚数を逐次計数し、その計数結果を、記憶部２０６に記憶させる。制御部２０７は、たとえば、識別部１０３が最後に硬貨を識別した後、一定期間が経過することにより、全ての硬貨に対する処理が終了したと判定する。
【００７６】
こうして、全ての硬貨に対する処理が終了すると（Ｓ１５：ＹＥＳ）、制御部２０７は、終了画面を表示部２０１に表示させる（Ｓ１６）。
【００７７】
図７（ａ）、（ｂ）は、それぞれ、終了画面４０を示す図である。図７（ａ）は、選別対象金種として５０円と１０円が設定された場合の終了画面４０の構成を示し、図７（ｂ）は、選別対象金種として１０円が設定された場合の終了画面４０の構成を示している。
【００７８】
終了画面４０には、コラム４０１〜４０４と、コラム４１１、４１２と、アイコン４２１が含まれている。コラム４０１〜４０４には、第１選別箱１９に収納されている各金種の硬貨の残り枚数が表示される。同様に、コラム４１１、４１２には、第２選別箱２０に収納されている各金種の硬貨の残り枚数が表示される。制御部２０７は、上記のように記憶部２０６に記憶させた各金種の硬貨の枚数を参照して、コラム４０１〜４０４と、コラム４１１、４１２に、それぞれ、対応する金種の残り枚数を表示させる。アイコン４２１は、終了画面４０を閉じるためのアイコンである。
【００７９】
なお、選択対象金種の数が増えるほど、終了画面４０の右側に表示される金種の数が増加し、これに伴い、終了画面４０の左側に表示される金種の数が減少する。たとえば、選択対象金種として５０円、１０円の他に１円が選択された場合、図７（ａ）に示す終了画面４０の右側（第２選別箱の列）に、１円の金種に対応するコラムが追加され、終了画面４０の左側（第１選別箱の列）から、１円の金種に対応するコラム４０３が削除される。
【００８０】
ユーザは、終了画面４０を参照することにより、未包装の各金種について、硬貨の残り枚数を把握できる。その後、ユーザは、アイコン４２１にタッチする。これにより、制御部２０７は、終了画面４０を閉じて、包装処理を終了する。このとき、制御部２０７は、端数収納箱１８に端数の硬貨が残っていることをユーザに報知する処理を実行してもよい。また、制御部２０７は、第１収納箱１６または第２収納箱１７に包装硬貨が収納されていることをユーザに報知する処理を実行してもよい。
【００８１】
図８は、２回目以降の硬貨の包装処理においてユーザが行う操作の流れを示すフローチャートである。
【００８２】
まず、ユーザは、図７（ａ）、（ｂ）に示す終了画面４０により把握した情報に基づいて、第２選別箱２０に硬貨が収納されているか否かを判断する（Ｓ２０１）。第２選別箱２０に硬貨が収納されていると判断した場合（Ｓ２０１：ＹＥＳ）、ユーザは、さらに、終了画面４０により把握した情報に基づいて、第２選別箱２０に振り分けられた何れかの金種について、包装に必要な所定枚数（たとえば５０枚）の硬貨が残存しているか否かを判断する（Ｓ２０２）。
【００８３】
ここで、第２選別箱２０に、包装に必要な所定枚数（たとえば５０枚）の硬貨が残存している金種がある場合（Ｓ２０２：ＹＥＳ）、ユーザは、第２選別箱２０を装置本体１１から抜き取って、第２選別箱２０内の硬貨を投入口１３ａに投入する（Ｓ２０３）。第２選別箱２０は装置本体１１に戻される。そして、ユーザは、投入した硬貨に対して、図５（ａ）の金種設定画面３０により、包装対象金種および選別対象金種の設定を行う（Ｓ２０４）。その後、ユーザは、金種設定画面３０中のアイコン３２１にタッチして、包装処理の開始指示を入力する（Ｓ２０５）。これにより、今回の包装処理におけるユーザによる操作が終了する。
【００８４】
ステップＳ２０４の操作において、ユーザは、第２選別箱２０に硬貨が収納されている金種のうち、包装可能な１つの金種を包装対象金種に設定し、残りの全ての金種を選別対象金種に設定する。ここで、第２選別箱２０に、包装に必要な所定枚数（たとえば５０枚）の硬貨が残存する金種が２つ以上ある場合、これら金種のうち１つを、図５（ａ）の金種設定画面３０において、包装対象金種に設定し、残りの金種を選別対象金種に設定する。たとえば、ユーザは、図７（ａ）、（ｂ）の終了画面４０を参照して把握した最も残存枚数が多い金種を、図５（ａ）に示す金種設定画面３０において、包装対象金種に設定し、残りの金種を選別対象金種に設定する。これにより、その後の包装処理における硬貨の流動枚数が減少するため、包装処理を効率的かつ迅速に進めることができる。
【００８５】
なお、第２選別箱２０に、包装に必要な所定枚数（たとえば５０枚）の硬貨が残存する金種が１つしかない場合、制御部２０７は、この金種を包装対象金種に設定するようにしてもよい。
【００８６】
ステップＳ２０２において、第２選別箱２０に、包装に必要な所定枚数（たとえば５０枚）の硬貨が残存している金種がないと判断した場合（Ｓ２０２：ＮＯ）、ユーザは、第２選別箱２０内の硬貨を全て回収した後（Ｓ２０６）、終了画面４０により把握した情報に基づいて、第１選別箱１９に硬貨が収納されているか否かを判断する（Ｓ２０７）。また、ステップＳ２０１において、第２選別箱２０に硬貨が収納されていないと判断した場合も（Ｓ２０１：ＮＯ）、ユーザは、終了画面４０により把握した情報に基づいて、第１選別箱１９に硬貨が収納されているか否かを判断する（Ｓ２０７）。
【００８７】
第１選別箱１９に硬貨が収納されていると判断した場合（Ｓ２０７：ＹＥＳ）、ユーザは、さらに、終了画面４０により把握した情報に基づいて、第１選別箱１９に振り分けられた何れかの金種について、包装に必要な所定枚数（たとえば５０枚）の硬貨が残存しているか否かを判断する（Ｓ２０８）。
【００８８】
ここで、第１選別箱１９に、包装に必要な所定枚数（たとえば５０枚）の硬貨が残存している金種がある場合（Ｓ２０８：ＹＥＳ）、ユーザは、第１選別箱１９を装置本体１１から抜き取って、第１選別箱１９内の硬貨を投入口１３ａに投入する（Ｓ２０９）。第１選別箱１９は装置本体１１に戻される。そして、ユーザは、上記ステップＳ２０４、Ｓ２０５と同様の操作により、包装対象金種および選別対象金種の設定と、包装処理の開始指示を入力する。これにより、今回の包装処理におけるユーザによる操作が終了する。
【００８９】
ステップＳ２０８において、第１選別箱１９に、包装に必要な所定枚数（たとえば５０枚）の硬貨が残存している金種がないと判断した場合（Ｓ２０８：ＮＯ）、ユーザは、第１選別箱１９内の硬貨を全て回収する（Ｓ２１０）。これにより、今回の包装処理におけるユーザによる操作が終了する。また、ステップＳ２０７において、第１選別箱１９に硬貨が収納されていないと判断した場合（Ｓ２０７：ＮＯ）、ユーザは、全ての硬貨について包装処理が終了したと判断し、今回の包装処理における操作を終了する。
【００９０】
ユーザは、最初に投入した全ての硬貨について包装処理が終了するまで、図８に示すフローチャートに従って、各回の包装処理における操作を繰り返す。そして、終了画面４０において、さらなる硬貨の包装処理は不要であると判断した場合に、ユーザは、包装処理のための操作を終了する。
【００９１】
本実施形態では、ユーザがこのような操作を行うことにより、包装処理の際に流動する硬貨の総流動枚数を効果的に削減でき、包装処理を効率的かつ迅速に進めることができる。以下、この効果について、比較例と比較しながら説明する。なお、以下の検証では、便宜上、各金種の枚数が通常より少なく設定され、さらに、全ての金種に対する包装処理が必ず実行されるように、包装に要する硬貨の枚数が１０枚程度に設定されている。
【００９２】
図９（ａ）は、比較例に係る、６つ金種が混在した硬貨群を包装処理に供した場合の、各回における各金種の硬貨の流動状態を纏めた表である。
【００９３】
比較例では、第２選別箱２０が設けられておらず、リジェクトされない硬貨のうち包装対象外の硬貨は全て、第１選別箱１９に収容される。なお、比較例では、投入口１３ａに投入された硬貨にはリジェクトされる硬貨が含まれていないことが想定されている。
【００９４】
図９（ａ）の表において、“包装金種”は包装対象金種のことであり、“処理回数”は硬貨群に対する包装処理の回数を示している。ここでは、包装処理が、金種Ａ、金種Ｂ、金種Ｃ、金種Ｄ、金種Ｅ、金種Ｆの順番で、各金種について行われていることが想定されている。
【００９５】
また、各回の処理における各金種の硬貨の残存枚数が、“金種Ａ”、“金種Ｂ”、“金種Ｃ”、“金種Ｄ”、“金種Ｅ”、“金種Ｆ”の各項目の下方に数字で示されている。ここでは、初回投入時において、金種Ａの硬貨の枚数が３９枚、金種Ｂの硬貨の枚数が３９枚、金種Ｃの硬貨の枚数が１８枚、金種Ｄの硬貨の枚数が３３枚、金種Ｅの硬貨の枚数が３５枚、金種Ｆの硬貨の枚数が５２枚となっている。各金種の硬貨の枚数は、追って説明する２つの実施形態の検証においても同様に設定されている。
【００９６】
また、“投入元”の項目には、各回の包装処理において投入される硬貨がどこに収容されていた硬貨であるかが示されている。１回目の包装処理時は、袋等に収納された硬貨群が投入されるため、投入元は、初期投入とされている。また、比較例では、上記のように選別箱が第１選別箱１９しか存在しないため、２回目以降の包装処理時の投入元は、全て、第１選別箱１９となっている。
【００９７】
何れかの処理回数において包装対象金種となった金種は、その処理回数における処理において包装硬貨となって回収されるため、その後の処理回数では、硬貨包装装置１内を流動しない。
【００９８】
たとえば、金種Ａは、１回目の包装処理時に包装対象金種に設定されたため、２回目以降の包装処理では、硬貨包装装置１内を流動しない。したがって、金種Ａについては、硬貨包装装置１を流動する流動回数が１回となり、流動枚数は３９枚となる。他方、金種Ｆは、最後の包装処理時に包装対象金種に設定されたため、１回目から６回目の全ての包装処理において、硬貨包装装置１内を流動する。したがって、金種Ｆについては、硬貨包装装置１を流動する流動回数が６回となり、流動枚数は３１２枚（５２枚×６回）となる。
【００９９】
図９（ｂ）は、図９（ａ）の表について、流動回数と流動枚数を金種ごとに集計した表である。
【０１００】
図９（ｂ）に示すように、比較例では、各金種の流動回数を合計した総流動回数が２１回となり、また、各金種の流動枚数を合計した総流動枚数が７９０枚となる。
【０１０１】
図１０（ａ）は、実施形態（選別対象の金種が１種類）に係る、６つ金種が混在した硬貨群を包装処理に供した場合の、各回における各金種の硬貨の流動状態を纏めた表である。
【０１０２】
ここでは、第１選別箱１９とともに第２選別箱２０が設けられ、リジェクトされない硬貨のうち包装対象外の硬貨は、ユーザの設定に従って、第１選別箱１９と第２選別箱２０の何れかに収容される。なお、比較例と同様、投入口１３ａに投入された硬貨にはリジェクトされる硬貨が含まれていないことが想定されている。
【０１０３】
また、ここでは、各回の包装処理において、第２選別箱２０に振り分けられる選別対象金種が１つだけであった場合の硬貨の流動状態が示されている。各回の包装処理において、包装対象金種の硬貨の枚数を示す欄は太線で囲まれ、また、選別対象金種の硬貨の枚数を示す欄にはハッチングが付されている。たとえば、１回目の包装処理時には、包装対象金種が金種Ａであり、選別対象金種は金種Ｂである。また、各回の包装処理において、硬貨が流動されない金種の欄には、下向きの矢印が付記されている。その他の表の構成は、図９（ａ）の比較例の場合と同様である。
【０１０４】
なお、投入元が第２選別箱２０である場合、その第２選別箱２０には１種類の金種しか含まれていないため、選別対象金種を特に設定することなく、包装処理が行われる。この場合、包装対象金種は、第２選別箱２０に収納されている硬貨の金種に設定される。
【０１０５】
図１０（ｂ）は、図１０（ａ）の表について、流動回数と流動枚数を金種ごとに集計した表である。
【０１０６】
図１０（ｂ）に示すように、選別対象金種を１つのみとした実施形態では、各金種の流動回数を合計した総流動回数が１５回となり、図９（ｂ）に示した比較例の総流動回数（２１回）と比べると、総流動回数が大幅に削減されている。また、この実施形態では、各金種の流動枚数を合計した総流動枚数が５６５枚となり、図９（ｂ）に示した比較例の総流動枚数（７９０枚）と比べると、総流動枚数が大幅に削減されている。このように、実施形態の処理によれば、比較例に比べて、硬貨の総流動枚数を大幅に減少させ得る。
【０１０７】
図１１（ａ）は、実施形態（選別対象の金種が２種類）に係る、６つ金種が混在した硬貨群を包装処理に供した場合の、各回における各金種の硬貨の流動状態を纏めた表である。
【０１０８】
ここでは、図１０（ａ）の場合と比べて、各回の包装処理において設定される選別対象金種の数が１つ増加している。その他の条件は、図１０（ａ）の場合と同様である。表の構成も、図１０（ａ）の表と同様である。
【０１０９】
また、図１１（ａ）に示すように、投入元が第２選別箱２０である場合、その第２選別箱２０に２種類の金種が含まれていれば、何れか一方の金種が包装対象金種に設定され、他方の金種が選別対象金種に設定される。その第２選別箱２０に１種類の金種しか含まれていない場合は、その金種が包装対象金種に設定され、選別対象金種は特に設定されない。
【０１１０】
図１１（ｂ）は、図１１（ａ）の表について、流動回数と流動枚数を金種ごとに集計した表である。
【０１１１】
図１１（ｂ）に示すように、選別対象金種を２つとした実施形態では、各金種の流動回数を合計した総流動回数が１４回となり、図９（ｂ）に示した比較例の総流動回数（２１回）と比べると、総流動回数が大幅に削減されている。また、この実施形態では、各金種の流動枚数を合計した総流動枚数が４９８枚となり、図９（ｂ）に示した比較例の総流動枚数（７９０枚）と比べると、総流動枚数が大幅に削減されている。このように、選別対象金種を２つとした実施形態の処理によれば、比較例に比べて、硬貨の総流動枚数を大幅に減少させ得る。
【０１１２】
また、図１１（ｂ）と図１０（ｂ）とを比較すると、選別対象金種を２つとした実施形態では、各金種の流動回数を合計した総流動回数と、各金種の流動枚数を合計した総流動枚数が、共に、選別対象金種を１つとした実施形態に比べて減少している。したがって、選別対象金種の設定数は、１つよりも複数であることが好ましいと言える。よって、上記実施形態のように、金種設定画面３０は、選別対象金種を複数設定可能に構成されることが好ましいと言える。
【０１１３】
なお、図１１（ｂ）と図１０（ｂ）とを比較すると、所定の金種について、流動回数が、図１０（ｂ）の場合と図１１（ｂ）の場合とで異なっている。したがって、各金種の硬貨の数のバランスによっては、選別対象金種の数を１つとした方が、総流動枚数が削減されることが起こり得る。よって、初回に投入される硬貨において、金種の硬貨の数のバランスが概ね予め分かっているような場合、ユーザは、各金種の硬貨の数のバランスに応じて、選別対象金種の数を１つとすべきか、複数とすべきかを、適宜選択すればよい。これにより、より効果的に、総流動枚数を削減でき、結果、包装処理を効率的かつ迅速に進めることができる。
【０１１４】
＜実施形態の効果＞
本実施形態によれば、以下の効果が奏され得る。
【０１１５】
（１）包装対象以外の金種の硬貨が、所定の金種ごとに第１選別箱１９および第２選別箱２０に振り分けられる。このため、次の包装処理時に、第２選別箱２０に収納された硬貨を投入することにより、硬貨の流動枚数を削減しながら、第２選別箱２０に設定された金種の１つについて、硬貨の包装を行うことができる。これにより、効率的かつ迅速に、各金種の包装処理を行うことができる。
【０１１６】
（２）制御部２０７は、図４（ｂ）のＳ１１において、第２選別箱２０に振り分ける金種の設定をユーザから受け付ける処理を実行し、受け付けた設定に従って、第２選別箱２０に硬貨を振り分ける。このため、ユーザは、所望の振り分け方で、第２選別箱２０に金種を設定できる。これにより、ユーザは、たとえば、投入される硬貨について、金種ごとの硬貨の枚数の大小を予め把握しているような場合に、より効率的に包装処理を進め得るような振り分け方で、第２選別箱２０に金種を設定することができる。より硬貨の枚数が多い金種を包装対象金種と選別対象金種に設定することにより、硬貨の総流総枚数を効果的に削減でき、より効率的に包装処理を進め得る。
【０１１７】
（３）図５（ａ）、（ｂ）に示すように、制御部２０７は、第２選別箱２０に振り分ける金種の設定を受け付けるための金種設定画面３０を、表示部２０１に表示させて、選別対象金種の設定を受け付ける。このため、ユーザは、金種設定画面３０を参照しながら、第２選別箱２０に振り分ける金種の設定を円滑に行うことができる。
【０１１８】
（４）図７（ａ）、（ｂ）に示すように、制御部２０７は、第１選別箱１９および第２選別箱２０に収納された硬貨を金種ごとに計数し、一の金種に対する包装処理が完了した後に、計数した各金種の硬貨の枚数を、金種に対応付けて、表示部２０１に表示させる。これにより、ユーザは、一の金種に対する包装処理が完了した後に、第１選別箱１９および第２選別箱２０に収納された硬貨の枚数を金種ごとに把握できるため、次の包装処理時にどの金種を包装対象金種に設定すれば包装処理を効率的に進め得るかを容易に判断できる。よって、より効率的かつ迅速に、各金種に対する硬貨の包装を進めることができる。
【０１１９】
（５）図５（ｂ）に示すように、制御部２０７は、第２選別箱２０に対して複数の金種の設定が可能なように、第２選別箱２０に対する選別対象金種の設定を受け付ける。このように、複数の選別対象金種を設定可能とすることにより、図９（ａ）〜図１１（ｂ）を参照して説明したとおり、より効率的に、各金種に対する包装処理を行うことができる。
【０１２０】
（６）図１および図２に示すように、本実施形態では、第１選別箱１９と第２選別箱２０の２つの選別箱が、装置本体１１に配置されている。すなわち、硬貨包装装置１に配置された選別箱の数が２つとなっている。このように、選別箱の数を２つに制限することにより、装置の大型化を抑制しつつ、硬貨の包装を効率的かつ迅速に行うことができる。
【０１２１】
なお、このように選別箱が２つの場合、上記のように、第２選別箱２０に振り分ける選別対象金種がユーザにより設定されると、他方の第１選別箱１９には、自動的に、残りの金種が選別対象金種として割り当てられる。よって、第２選別箱２０に選別対象金種を設定する操作をユーザから受け付けるのみで、第１選別箱１９と第２選別箱２０に対して金種を振り分けることができる。
【０１２２】
＜変更例１＞
上記実施形態では、図８のフローチャートに従って、各回の包装処理時に、ユーザによる操作が行われる。この場合、ユーザは、直前の包装処理の終了時に表示された終了画面４０に基づいて、第１選別箱１９と第２選別箱２０における硬貨の収納状態を把握した上で、何れの選別箱に収納された硬貨を再投入すべきかを判断する必要がある。しかし、ユーザが装置に不慣れであるような場合、次回の包装処理において第１選別箱１９と第２選別箱２０の何れに収納された硬貨を再投入すべきかを、直ちに判断できないことが起こり得る。
【０１２３】
そこで、変更例１では、各回の包装処理の終了時に、次に硬貨を再投入すべき選別箱をユーザに報知する処理が行われる。
【０１２４】
図１２は、変更例１に係る、硬貨の包装制御を示すフローチャートである。
【０１２５】
図１２に示すように、変更例１では、ステップＳ１６の後に、ステップＳ２１が追加されている。ステップＳ１１〜Ｓ１６の処理は、図４（ｂ）に示した各ステップの処理と同様である。
【０１２６】
図７（ａ）、（ｂ）に示す終了画面４０において、ユーザによりアイコン４２１がタッチされると、制御部２０７は、ステップＳ２１において、誘導画面を表示部２０１に表示させる。
【０１２７】
図１３（ａ）、（ｂ）は、誘導画面５０を示す図である。図１３（ａ）は、第２選別箱２０に収納された硬貨を投入口１３ａに再投入する場合の誘導画面５０の表示内容を示し、図１３（ｂ）は、第１選別箱１９に収納された硬貨を投入口１３ａに再投入する場合の誘導画面５０の表示内容を示している。
【０１２８】
ここで、制御部２０７は、第１選別箱１９と第２選別箱２０の何れに収納された硬貨を再投入すべきかを、図８のステップＳ２０１〜Ｓ２０３およびステップＳ２０６〜Ｓ２１０と同様の判定を行うことにより決定する。
【０１２９】
すなわち、制御部２０７は、記憶部２０６に記憶されている各金種の硬貨の枚数を参照して、まず、第２選別箱２０に収納された硬貨の金種が包装可能であるか否かを判定する。そして、第２選別箱２０に収納された硬貨の金種が包装可能である場合、第２選別箱２０を、硬貨を再投入すべき選択箱に決定して、図１３（ａ）の誘導画面５０を表示する。
【０１３０】
また、第２選別箱２０に収納された硬貨の金種が包装可能でない場合、制御部２０７は、さらに、第１選別箱１９に収納された硬貨の金種が包装可能であるか否かを判定する。そして、制御部２０７は、第１選別箱１９に収納された硬貨の金種が包装可能である場合、第１選別箱１９を、硬貨が再投入されるべき選択箱に決定して、図１３（ｂ）の誘導画面５０を表示する。
【０１３１】
図１３（ａ）の誘導画面５０には、報知文５０１と、画像５０２と、２つのアイコン５０３、５０４とが含まれている。図１３（ｂ）の誘導画面５０にも、同様に、報知文５１１と、画像５１２と、２つのアイコン５１３、５１４とが含まれている。報知文５０１、５０２には、それぞれ、第２選別箱２０および第１選別箱１９に収納された硬貨を再投入することをユーザに促すため文章が表示される。画像５０２、５１２には、それぞれ、第２選別箱２０の位置と第１選別箱１９の位置を示す矢印が、硬貨包装装置１の外観画像に重ねて示される。アイコン５９３、５１３は、画面を１つ前に戻すためのアイコンである。アイコン５１４は、画面を閉じるためのアイコンである。
【０１３２】
図１３（ａ）、（ｂ）に示す誘導画面５０を参照することにより、ユーザは、次の包装処理において、第１選別箱１９と第２選別箱２０の何れに収納されている硬貨を投入口１３ａに再投入すべきかを確認できる。よって、次の包装処理をより円滑に進めることができる。
【０１３３】
なお、第１選別箱１９と第２選別箱２０の何れにも包装可能な金種の硬貨が収納されてない場合、制御部２０７は、図１３（ａ）、（ｂ）の何れの誘導画面５０も表示させることなく、包装処理を終了する。この場合、包装可能な金種が無いことユーザに報知する画面が表示されてもよい。
【０１３４】
また、図１３（ｂ）の誘導画面５０を表示する際に、第２選別箱２０内に包装不能な数の硬貨が収納されている場合、制御部２０７は、第２選別箱２０内の硬貨を回収することをユーザに促す報知文を図１３（ｂ）の誘導画面５０にさらに含めてもよい。こうすると、ユーザは、第１選別箱１９内の硬貨を再投入して次の包装処理を行う前に、第２選別箱２０内に収納されている包装不能な数の硬貨を確実に回収できる。この操作は、図８のステップＳ２０６の操作に対応する。
【０１３５】
＜変更例２＞
上記実施形態では、一の金種に対する包装処理が終了すると、図７（ａ）、（ｂ）に示す終了画面４０に基づいて、ユーザが、次の包装処理における包装対象金種と選別対象金種を任意に設定するように制御フローが構成されている。これに対し、変更例２では、次の包装処理時における包装対象金種と選別対象金種を、制御部２０７が自動で設定する。
【０１３６】
図１４は、変更例２に係る、硬貨の包装制御を示すフローチャートである。
【０１３７】
図１４のフローチャートでは、図１２のフローチャートに対してステップＳ２２〜Ｓ２５が追加されている。その他のステップは、図１２のフローチャートにおける各ステップの処理と同様である。
【０１３８】
ステップＳ２２において、制御部２０７は、図１３（ａ）、（ｂ）に示す誘導画面５０によりユーザに硬貨の再投入を促した選別箱が着脱されたか否かを判定する。ステップＳ２２の判定がＹＥＳの場合、制御部２０７は、指定の選別箱内の硬貨が再投入されたとして、処理をステップＳ２３に進める。ステップＳ２３において、制御部２０７は、次の包装処理における包装対象金種と選別対象金種の設定を受け付けるための金種設定画面３０を、表示部２０１に表示させる。
【０１３９】
図１５（ａ）は、変更例２に係る、２回目以降の包装処理時に表示される金種設定画面３０を示す図である。
【０１４０】
図１５（ａ）の金種設定画面３０は、誘導画面５０により指定された選別箱（第１選別箱１９と第２選別箱２０の何れか一方）に収容されている金種のアイコンが、包装対象金種および選別対象金種として選択可能となっている。ここでは、誘導画面５０により指定された選別箱に収容されている金種以外の金種のアイコンは、選択不能にグレイアウトされている。
【０１４１】
図１３（ａ）の例では、誘導画面５０により指定された選別箱に、５０円と１０円の金種の硬貨が収納されているため、包装対象金種を示すアイコン３０１〜３０６のうち、５０円と１０円に対応するアイコン３０３、３０４が選択可能となっており、また、選別対象金種を示すアイコン３１１〜３１６のうち、５０円と１０円に対応するアイコン３０３、３０４が選択可能となっている。５００円、１００円、５円および１円に対応するアイコン３０１、３０２、３０５、３０６およびアイコン３１１、３１２、３１５、３１６は、選択不能にグレイアウトしている。
【０１４２】
このように、次回の包装処理において選択可能な金種が、予め、金種設定画面３０において、自動で選択候補として提示されることにより、ユーザは、包装対象金種の設定と、選別対象金種の設定を、円滑かつ間違いなく、行うことができる。
【０１４３】
図１５（ａ）の金種設定画面３０において、ユーザが、包装対象金種として５０円と１０円の何れか一方を選択すると、制御部２０７は、選択されなかった残りの金種を選別対象金種に設定する。たとえば、図１５（ａ）の金種設定画面３０において、ユーザが、アイコン３０４にタッチして、包装対象金種に１０円を選択すると、制御部２０７は、金種設定画面３０の表示を、図１５（ｂ）のように変化させる。この場合、たとえば、選択された各金種のアイコン３０４、３１３を色などにより強調表示することにより、金種の選択状態がユーザに示される。
【０１４４】
また、図１５（ｂ）の金種設定画面３０において、ユーザが、さらにアイコン３０３にタッチすると、制御部２０７は、包装対象金種と選別対象金種をそれぞれ５０円および１０円に変更し、この変更に伴い、金種設定画面３０の表示を変更する。このような操作により、ユーザは、包装対象金種と選別対象金種を適宜変更し得る。
【０１４５】
図１４に戻り、金種設定画面３０において、ユーザが、金種の設定を行った後、アイコン３２１にタッチすると（Ｓ２４：ＹＥＳ）、制御部２０７は、処理をステップＳ１３へ以降させて、ユーザの設定に従った包装処理を実行する。他方、金種設定画面３０において、ユーザが、アイコン３３０にタッチすると（Ｓ２５：ＹＥＳ）、制御部２０７は、包装処理を終了する。
【０１４６】
変更例２の制御処理によれば、次回の包装処理における包装対象金種と選別対象金種の候補が、制御部２０７により自動でユーザに提示されるため、不慣れなユーザであっても、円滑に、包装対象金種と選別対象金種を設定できる。よって、各金種に対する包装処理をより円滑に進めることができる。
【０１４７】
なお、上記では、図１５（ａ）に示すように、次回の包装処理において選択可能な包装対象金種と選別対象金種の候補がユーザに提示されたが、次回の包装処理における包装対象金種と選別対象金種が、制御部２０７により自動で設定されてもよい。たとえば、ステップＳ２３において、制御部２０７は、誘導画面５０で誘導した選別箱に収納されている金種のうち、硬貨の枚数が最も多い金種を次回の包装処理における包装対象金種に設定し、残りの金種を、次回の包装処理における選別対象金種に設定する。
【０１４８】
この場合、制御部２０７は、図１５（ａ）の画面を経ることなく、直接、図１５（ｂ）の金種設定画面３０を表示部２０１に表示させる。たとえば、誘導画面５０で誘導した選別箱に１０円と５０円が収納され、１０円の方が５０円よりも硬貨の枚数が多い場合、制御部２０７は、包装対象金種と選別対象金種として、それぞれ、１０円と５０円を設定し、図１５（ｂ）に示す内容の金種設定画面３０をユーザに提示する。
【０１４９】
ユーザは、制御部２０７が自動設定した内容で良ければ、そのままアイコン３２１にタッチする。他方、制御部２０７が自動設定した内容を変更する場合、ユーザは、アイコン３０３またはアイコン３１４の何れかにタッチして、包装対象金種と選別対象金種を変更した後、アイコン３２１にタッチする。これにより、次の包装動作が開始される。なお、制御部２０７が自動設定した包装対象金種と選別対象金種をユーザが変更できないようにしてもよい。
【０１５０】
このように、制御部２０７が、次回の包装処理における包装対象金種と選別対象金種が制御部２０７により自動で設定するように構成すると、ユーザにおける手間をさらに省くことができる。よって、各金種に対する包装処理をより円滑に進めることができる。
【０１５１】
また、制御部２０７が自動で包装対象金種と選別対象金種を設定する場合に、上記のように、硬貨の数が最も多い金種を、次の包装処理における包装対象金種に設定することにより、次の包装処理において包装対象外とされる金種の硬貨の数がより少なくなる。このため、その後の処理における硬貨の流動枚数を、より低減できる。よって、より効率的に、包装処理を進めることができる。
【０１５２】
＜その他の変更例＞
図５（ａ）に示す金種設定画面３０は、包装対象金種と選別対象金種を、それぞれ個別に、ユーザが選択するよう構成されたが、ユーザが包装対象金種を選択すると、制御部２０７が、自動で、選別対象金種を設定するようにしてもよい。この場合、包装対象金種と選別対象金種とを互いに対応づけたリストが、予め、記憶部２０６に記憶される。制御部２０７は、図５（ａ）の金種設定画面３０において、ユーザが、アイコン３０１〜３０６の何れか１つにタッチすると、タッチされたアイコンの金種に対応づけられた選別対象金種を、記憶部２０６に記憶されたリストから取得する。そして、制御部２０７は、取得した選別対象金種を、今回の包装処理における選別対象金種に設定する。
【０１５３】
この構成例によれば、図５（ａ）の金種設定画面３０において、選別対象金種を設定する手間が省かれる。よって、ユーザは、より円滑に、包装処理のための操作を進めることができる。なお、この場合、リストには、１つの包装対象金種に複数の選別対象金種が対応付けられていてもよい。
【０１５４】
また、図５（ａ）に示す金種設定画面３０は、包装対象金種と選別対象金種を、それぞれ個別に、ユーザが選択するよう構成されたが、包装対象金種は、投入口１３ａに投入された硬貨のうち、最初に識別部１０３により識別された金種とし、制御部２０７が、自動で、選別対象金種を設定するようにしてもよい。この場合、包装対象金種と選別対象金種とを互いに対応づけたリストが、予め、記憶部２０６に記憶される。制御部２０７は、識別部１０３により最初に識別された包装対象金種に対応づけられた選別対象金種を、記憶部２０６に記憶されたリストから取得する。そして、制御部２０７は、取得した選別対象金種を、今回の包装処理における選別対象金種に設定する。
【０１５５】
この構成例によれば、図５（ａ）の金種設定画面３０において、選別対象金種を設定する手間が省かれる。よって、ユーザは、より円滑に、包装処理のための操作を進めることができる。なお、この場合、リストには、１つの包装対象金種に複数の選別対象金種が対応付けられていてもよい。
【０１５６】
また、上記実施形態および変更例１、２では、硬貨包装装置１における選別箱の配置数が２つであったが、３つ以上の選別箱が硬貨包装装置１に配置されてもよい。この場合、各選別箱にそれぞれ所定の金種を振り分けられる。また、金種設定画面３０の構成も、選別箱の数に応じて変更される。たとえば、３つの選別箱が硬貨包装装置１に配置される場合、図５（ａ）に示す選別金種の列が１列追加される。
【０１５７】
このように、３つ以上の選別箱を設けて、各選別箱に所定の金種を振り分けることによっても、上記実施形態と同様に、包装処理における硬貨の総流動枚数を抑制できる。よって、包装処理を円滑かつ迅速に進めることができる。ただし、選別箱の配置数が増えるほど、選別箱の配置のスペースが増加するため、装置が大型化する。よって、装置の大型化を抑制しつつ、硬貨の包装を効率的かつ迅速に行うためには、上記実施形態にように、硬貨包装装置１における選別箱の配置数を２つとすることが好ましい。
【０１５８】
また、上記実施形態および変更例１、２では、包装対象金種と選別対象金種の選択候補を示すアイコン３０１〜３０６、３１１〜３１６が、金種設定画面３０に配置されたが、金種設定画面３０の構成は、これに限られるものではない。たとえば、包装対象金種と選別対象金種がプルダウンメニューから選択可能となるように、金種設定画面３０が構成されてもよい。
【０１５９】
また、上記実施形態および変更例１、２では、金種設定画面３０により包装対象金種と選別対象金種の設定を受け付ける構成であったが、たとえば、包装対象金種と選別対象金種を設定するためのメカニカルボタンを硬貨包装装置１に配置し、これらメカニカルボタンによって、包装対象金種と選別対象金種の設定を受け付ける構成であってもよい。ただし、この場合は、硬貨包装装置１に外側面等に、メカニカルボタンを配置するためのスペースが別途必要となる。
【０１６０】
また、硬貨包装装置１の構成は、必ずしも、図１に示した構成に限られるものではない。たとえば、第１収納箱１６、第２収納箱１７、端数収納箱１８、第１選別箱１９、第２選別箱２０およびリジェクト箱２１の配置位置は、図１に示す位置から適宜変更可能である。また、各箱の着脱方向は、必ずしも、上記実施形態で示した方向でなくてもよい。さらに、第１収納箱１６および第２収納箱１７は、必ずしも、硬貨包装装置１に対して着脱可能でなくてもよく、包装硬貨を回収可能に構成されればよい。同様に、端数収納箱１８も、端数硬貨を回収可能に構成されれば、他の構成であってもよい。包装硬貨を収納する収納箱の数は、必ずしも、２つでなくともよく、他の数であってもよい。
【０１６１】
この他、本発明の実施形態は、特許請求の範囲に記載の範囲で適宜変更可能である。
【符号の説明】
【０１６２】
１  硬貨包装装置
１３  ホッパー
１３ａ  投入口
１５  タッチパネル
１９  第１選別箱（選別収納部）
２０  第２選別箱（選別収納部）
１０３  識別部
１０５  集積部
１０６  包装部
２０１  表示部
２０３  入力部
２０７  制御部
【図１】
2018109902.tif 000003
【図２】
2018109902.tif 000004
【図３】
2018109902.tif 000005
【図４】
2018109902.tif 000006
【図５】
2018109902.tif 000007
【図６】
2018109902.tif 000008
【図７】
2018109902.tif 000009
【図８】
2018109902.tif 000010
【図９】
2018109902.tif 000011
【図１０】
2018109902.tif 000012
【図１１】
2018109902.tif 000013
【図１２】
2018109902.tif 000014
【図１３】
2018109902.tif 000015
【図１４】
2018109902.tif 000016
【図１５】
2018109902.tif 000017